(57)【要約】【課題】実験室の各種の設備やレイアウトの変更要請に即応できる実験室用フレキシブルパーテーションユニットの提供。【解決手段】実験室Ｌの床面ＦＬ上に立設されるパーテーション本体部１３と、該パーテーション本体部１３の面方向に設けられた複数の空白区画面１４ａ，１５ａに対し各別に着脱自在に取り付けてこれらを塞ぐ複数枚の分割パネル部４３とで、任意位置にある分割パネル部４３への給電、給ガス、給排気、給排水のいずれかに対応させたユーティリティー設備の事前または事後の設置と実験室Ｌ内の間仕切りとを可能に配置されるパーテーションパネル１２と、ユーティリティー設備の設置位置との関係で特定される空白区画面１４ａ，１５ａを塞ぐ分割パネル部４３に対し着脱自在に取着される各種の実験用什器とで構成した。【選択図】図１
2017128932.tif 000002
【特許請求の範囲】
【請求項１】
実験室の床面上に立設されるパーテーション本体部と、該パーテーション本体部の面方向に設けられた複数の空白区画面に対し各別に着脱自在に取り付けてこれらを塞ぐ複数枚の分割パネル部とで、任意位置にある前記分割パネル部への給電、給ガス、給排気、給排水のいずれかに対応させたユーティリティー設備の事前または事後の設置と前記実験室内の間仕切りとを可能に配置されるパーテーションパネルと、
前記ユーティリティー設備の設置位置との関係で特定される前記空白区画面を塞ぐ前記分割パネル部に対し着脱自在に取着される各種の実験用什器とで構成したことを特徴とする実験室用フレキシブルパーテーションユニット。
【請求項２】
前記パーテーション本体部は、その内部に前記ユーティリティー設備を構成する配管系および／または配線系を任意位置に引き回し可能な空間部を備える請求項１に記載の実験室用フレキシブルパーテーションユニット。
【請求項３】
前記分割パネル部には、耐薬品性および／または耐熱性を付与した請求項１または２に記載の実験室用フレキシブルパーテーションユニット。
【請求項４】
前記空白区画面は、前記パーテーション本体部の一側面と他側面との両面に各別に設けた請求項１ないし３のいずれかに記載の実験室用フレキシブルパーテーションユニット。
【請求項５】
前記分割パネル部には、前記一側面側と前記他側面側との間に確保される前記区画空白面を塞ぐ単層ガラスパネル部を含む請求項１ないし３のいずれかに記載の実験室用フレキシブルパーテーションユニット。
【請求項６】
前記分割パネル部には、対面する位置関係にある前記一側面側の前記空白区画面と前記他側面側の前記空白区画面とを各別に塞ぐ複層ガラスパネル部を含む請求項４に記載の実験室用フレキシブルパーテーションユニット。
【請求項７】
前記分割パネル部には、前記一側面側の前記空白区画面と前記他側面側の前記空白区画面との少なくともいずれか一方の側を塞ぐ小窓部付きのメンテナンス用パネル部を含む請求項４に記載の実験室用フレキシブルパーテーションユニット。
【請求項８】
前記パーテーション本体部は、実験室の前記床面と天井面との間に立設配置される請求項１ないし請求項７のいずれかに記載の実験室用フレキシブルパーテーションユニット。
【発明の詳細な説明】
【技術分野】
【０００１】
本発明は、研究分野や研究テーマの変更に伴い研究所等の研究施設における実験室の各種の設備やレイアウトを余儀なく変えざるを得なくなった際に即応できる実験室用フレキシブルパーテーションユニットに関する技術である。
【背景技術】
【０００２】
研究所は、科学的な各種の実験・研究を行う実験室を備えており、研究分野や研究テーマの変更により研究設備やレイアウトが変更されることもしばしばある。
【０００３】
しかし、従来から行われてきている実験室における研究設備やレイアウトの変更は、不要になった研究設備の撤去や新たに必要になった研究設備の設置を行う工事の必要があったほか、既設の間仕切り壁を取り壊して新たな位置に間仕切り壁を新設する工事が必要になるなど、簡単には対応できない不自由さや、多額の工事費がかかるなどの問題があった。
【０００４】
このような問題に対応する従来技術としては、その分野は異にしているものの、特許文献１に開示されている「組み立て架台及び脚柱付き組み立て架台」がある。
【先行技術文献】
【特許文献】
【０００５】
【特許文献１】特許第５４７６４３０号公報
【０００６】
すなわち、特許文献１には、設備場所におけるスペースレイアウト上の制約事情に対応して全体の空間形態を自由に変更できる架台ユニットと、該架台ユニットにおける内部ラックスペースの構成を自由に変更・追加できる手段とのほか、このような架台ユニットが脚柱構造体と一体に構成された脚柱付き架台とが開示されている。
【０００７】
そして、特許文献１に係る発明によれば、複数の架台ユニットを相互に組み付けたり連結して組み立てることにより、実験室や研究室等においてそれぞれのスペースレイアウト上の事情に対応した空間的形態の組み立て架台を自由に構成することができるとされている。
【発明の概要】
【発明が解決しようとする課題】
【０００８】
しかし、特許文献１の開示技術は、あくまでも複数の架台ユニットを相互に組み付けたり連結して組み立てることで、個々の架台ユニットの内部ラックスペースの構成を自由に変更・追加できるようにしようとするに止まり、研究分野や研究テーマの変更に伴って必要になる実験室の各種の設備やレイアウトの変更に即応できる構造を備えるものではなかった。
【０００９】
本発明は、上記特許文献１を含む従来技術にみられた上記課題に鑑み、研究分野や研究テーマの変更に伴い研究所等の研究施設における実験室の各種の設備やレイアウトを余儀なく変えざるを得なくなった際に即応できる柔軟性を発揮させることができる実験室用フレキシブルパーテーションユニットを提供することをその目的とする。
【課題を解決するための手段】
【００１０】
本発明は、上記目的を達成すべくなされたものであり、実験室の床面上に立設されるパーテーション本体部と、該パーテーション本体部の面方向に設けられた複数の空白区画面に対し各別に着脱自在に取り付けてこれらを塞ぐ複数枚の分割パネル部とで、任意位置にある前記分割パネル部への給電、給ガス、給排気、給排水のいずれかに対応させたユーティリティー設備の事前または事後の設置と前記実験室内の間仕切りとを可能に配置されるパーテーションパネルと、前記ユーティリティー設備の設置位置との関係で特定される前記空白区画面を塞ぐ前記分割パネル部に対し着脱自在に取着される各種の実験用什器とで構成したことを最も主要な特徴とする。
【００１１】
この場合、前記パーテーション本体部は、その内部に前記ユーティリティー設備を構成する配管系および／または配線系を任意位置に引き回し可能な空間部を具備させるのが好ましい。
【００１２】
また、前記分割パネル部には、耐薬品性および／または耐熱性を付与して形成したものを用いることもできる。
【００１３】
さらに、前記空白区画面は、前記パーテーション本体部の一側面と他側面との両面に各別に設けることができる。
【００１４】
また、前記分割パネル部には、前記パーテーション本体部の前記一側面側と前記他側面側との間に確保される前記空白区画面を塞ぐ単層ガラスパネル部や、対面する位置関係にある前記一側面側の前記空白区画面と前記他側面側の前記空白区画面とを各別に塞ぐ複層ガラスパネル部や、前記一側面側の前記空白区画面と前記他側面側の前記空白区画面との少なくともいずれか一方の側を塞ぐ小窓部付きのメンテナンス用パネル部を含めることができる。
【００１５】
また、前記パーテーション本体部は、実験室の前記床面と天井面との間に立設配置するものであってもよい。
【発明の効果】
【００１６】
請求項１の発明によれば、パーテーションパネルは、分割パネル部への給電、給ガス、給排気、給排水のいずれかに対応させたユーティリティー設備の事前または事後の設置と実験室内の間仕切りとを可能に配置でき、さらには、各種の実験室用什器もユーティリティー設備の設置位置との関係で特定される分割パネル部に対し着脱自在に取着したり、分割パネル部自体を交換したりすることができるので、研究分野や研究テーマの変更があっても、実験室内の間仕切り変更を容易に行うことができるばかりでなく、分割パネル部の取り付け位置を変えることにより、ユーティリティー設備や実験室用什器の設置位置の高さ調整・変更・追加設置も容易に行うことができるフレキシブルな拡充・変更性を発揮させることができる。また、各種の実験室用什器は、床面に設置されるべき脚部を不要にしてパーテーション本体部側に支持させることができるので、それだけ床面側に広い自由空間域を確保することができる。
【００１７】
請求項２の発明によれば、ユーティリティー設備を構成する配管系および／または配線系は、パーテーション本体部の内部に確保される空間部を介することで外部から目隠しをした見苦しくない状態のもとで任意位置へと引き回すことができる。
【００１８】
請求項３の発明によれば、実験室用什器を用いて行われる実験内容によっては、耐薬品性および／または耐熱性が付与された分割パネル部を用いる必要が生じても、かかる要請に即応させることできる。
【００１９】
請求項４の発明によれば、パーテーション本体部の一側面と他側面との両面に空白区画面を各別に設けることができるので、研究分野や研究テーマの変更があっても、ユーティリティー設備や実験室用什器の設置位置の変更や追加設置をより広範で柔軟に、かつ、容易に行うことができる。
【００２０】
請求項５の発明によれば、パーテーション本体部の対面する位置関係にある一側面側と他側面側との空白区画面の間を塞ぐ単層ガラスパネル部を分割パネル部として配置することにより、一方の側から他方の側を容易に見通せる結果、パーテーションパネルで仕切られている実験室内の閉塞感を緩和させたり内部確認を容易に行うことができる。また、実験内容により間仕切りされた実験室内部を暗くする必要が生じたとしても、単に分割パネル部を交換することにより対処することができる。
【００２１】
請求項６の発明によれば、対面する位置関係にある一側面側の空白区画面と他側面側の空白区画面とを各別に塞ぐ複層ガラスパネル部をそれぞれの分割パネル部として配置することにより、一方の側から他方の側を容易に見通せる結果、パーテーションパネルで仕切られている実験室内の閉塞感を緩和させたり内部確認を容易に行うことができるだけでなく、仮に実験室内で不測の事故が発生しても実験室外にその影響が及ぶのを比較的強靱な複層ガラスパネル部を介することで防ぐことができ、それだけ安全性を高めることができる。
【００２２】
請求項７の発明によれば、一側面側の空白区画面と他側面側の空白区画面との少なくともいずれか一方の側を塞ぐ小窓部付きのメンテナンス用パネル部を分割パネル部として配置することにより、該小窓部を介してパーテーションパネル内の空間部を介して引き回されている配管系および／または配線系を直接に目視確認することで、外部からメンテナンスの要否を簡単に把握することができる。
【００２３】
請求項８の発明によれば、パーテーション本体部は、実験室の前記床面と天井面との間の上下二カ所にて躯体側に支持させた状態のもとで立設配置されているので、仮に分割パネル部側に簡易ドラフトチャンバーなどのような重量のある実験用什器を取り付けても躯体側に支持させたパーテーション本体部を介して安定的に設置しておくことができる。
【図面の簡単な説明】
【００２４】
【図１】本発明における一例としてのパーテーションパネルの側端面図。
【図２】図１におけるＡ−Ａ線矢視方向についての一部省略断面図。
【図３】パーテーション本体部に対し一方の側の分割パネル部を取り外した状態で例示する側端面図。
【図４】パーテーション本体部に対し分割パネル部を取り付ける際に用いられる連結金具の一例を示す正面図。
【図５】図３にＡとして示す二点鎖線囲繞部位の部分斜視図。
【図６】パーテーション本体部と連結金具と分割パネル部との配置関係の一例についての要部分解斜視図。
【図７】本発明におけるパーテーションパネルの分割パネル部が単板構成の単層ガラスパネル部である場合を例示する側端面図。
【図８】分割パネル部が単層ガラスパネル部である場合の取り付け例を示す分解斜視図。
【図９】本発明における分割パネル部が小窓付きパネル部である場合や二枚構成の複層ガラスパネル部である場合の取り付け例を示す分解斜視図。
【図１０】本発明におけるユーティリティー設備の配置例を示す分解斜視図。
【図１１】本発明における実験用什器が軽量タイプである場合の取り付け例を示す分解斜視図。
【図１２】本発明における実験用什器が重量タイプである場合の取り付け例を示す分解斜視図。
【図１３】本発明におけるユーティリティー設備の配置状態の一例を示す説明図であり、そのうちの（ａ）は、配置換え前の状態を、（ｂ）は、配置換えと増設とを行った後の状態をそれぞれ示す。
【発明を実施するための形態】
【００２５】
図１ないし図６は、本発明におけるパーテーションパネル側の基本構成例を示す説明図であり、これらのうちの図１は、パーテーションパネルの側端面図を、図２は、図１におけるＡ−Ａ線矢視方向についての一部省略断面図を、図３は、パーテーション本体部に対し一方の側の分割パネル部を取り外した状態で示す側端面図を、図４は、パーテーション本体部に対し分割パネル部を取り付ける際に用いられる連結金具を、図５は、図３にＡとして示す二点鎖線囲繞部位の部分斜視図を、図６は、パーテーション本体部と連結金具と分割パネル部との配置関係についての要部分解斜視図をそれぞれ示す。
【００２６】
これらの図によれば、実験室用フレキシブルパーテーションユニット１１を構成するパーテーションパネル１２は、実験室Ｌの床面ＦＬと天井面ＣＬとの間に立設配置されるパーテーション本体部１３と、該パーテーション本体部１３側に固定されて分割パネル部４３側を掛止する連結金具３５と、パーテーション本体部１３の一側面１４側に設けられた各空白区画面１４ａと、他側面１５側に設けられた各空白区画面１５ａとに対し各別に着脱自在に取り付けて一側面１４側と他側面１５側との各空白区画面１４ａ，１５ａを個別に塞ぐ複数枚の分割パネル部４３とで構成されている。
【００２７】
図１〜図３および図６によれば、パーテーション本体部１３は、長さ方向（図２においては左右方向）の等間隔をおいた複数箇所にて前後に対面させて配置される各一対の縦柱１７，１８を主材としつつ、実験室Ｌの床面ＦＬ側と天井面ＣＬ側とに支持させて配置される支柱部材１６と、長さ方向で隣り合う縦柱１７，１７相互間および縦柱１８，１８相互間に各別に架け渡して配置されるを横桟部材２５と、前後にて対面する縦柱１７，１８相互間に振れ止めのために架け渡される略Ｌ字形を呈する補強材３０とで構成されている。
【００２８】
この場合、支柱部材１６には、実験室Ｌの床面ＦＬ側と天井面ＣＬ側とに支持させるために必要な部材として、左端側と右端側とに位置する一対の縦柱１７，１８のそれぞれの下端側にてアジャスター２０を介在させて床面ＦＬ側にネジ２１止めされる床レール１９と、上端側にて天井面ＣＬ側にネジ２３止めされる天井レール２２と、各床レール１９の外面側を覆う幅木２４とが含まれる。
【００２９】
一方、横桟部材２５は、長さ方向で隣り合う縦柱１７，１７相互間および縦柱１８，１８相互間を各別に連結するための部材であり、具体的には、例えば図１および図６に示すように縦柱１７，１７相互の対向面側および縦柱１８，１８相互の対向面側に各別にネジ２７止めして固定配置される略コ字形を呈する受け金具２６と、該受け金具２６に対し上方から被せるようにして掛止させた上で受け金具２６側にネジ２９止めされる横桟２８とで構成されている。
【００３０】
そして、パーテーション本体部１３の一側面１４側には、隣り合う縦柱１７，１７と横桟２８とで囲繞された個々の方形面が各空白区画面１４ａとして、他側面１５側には、隣り合う縦柱１８，１８と横桟２８とで囲繞された個々の方形面が各空白区画面１５ａとして、それぞれ確保されることになる。
【００３１】
また、補強材３０は、図１ないし図３および図６からも明らかなように前後にて対面する位置関係にある縦柱１７，１８に架け渡して縦柱１７側と縦柱１８側とのほか横桟２８側にもネジ３１止めすることで、縦柱１７側と縦柱１８側とが振れてギクシャクするのを阻止するために配置される。
【００３２】
さらに、図４に示す連結金具３５は、図１および図３に示すように縦柱１７側と縦柱１８側とのそれぞれの所定位置に通孔３５ａを介してネジ３８止めされる基部３６と、該基部３６側から上方に延設されて例えば図５に示すようにパネル面４４と囲枠材４５とで一体的に形成された分割パネル部４３が囲枠材４５側に備える掛合溝４５ａに差し込むことで掛止されるフック部３７とで形成されている。
【００３３】
この場合、フック部３７にあって掛合溝４５ａ内に位置する部位に基部３６側へとやや突出させた突曲部３７ａを設けることで、分割パネル部４３側との掛合状態を安定的に維持させることができるようになっている。
【００３４】
また、連結金具３５を介して各空白区画面１４ａ，１５ａに各別に取り付けられる分割パネル部４３については、パネル面４４の周縁を囲枠材４５で一体的に保持させて各空白区画面１４ａ，１５ａに略対面合致する面サイズを備え、かつ、その用途の別に対応し得る異なる構造が付与されて形成されたものが用いられる。
【００３５】
具体的には、図５および図６に示すように、パネル面４４を合板や合成樹脂等の適宜の素材で形成し、ステンレス等の金属材からなる囲枠材４５でその周縁を保持させて形成された分割パネル部４３が最も多く用いられる。なお、パーテーション本体部１３の長さ方向での一端部側と他端部側（図２に示す例ではコーナー部を含む左端部側と右端部側）とは、それぞれの近傍に位置する縦柱１７，１８が露出しないように分割パネル部４３と同じ質感のある目隠し材３２で覆われている。
【００３６】
また、分割パネル部４３については、その取り付け位置との関係で必要であれば、耐薬品性および／または耐熱性を予め付与して形成されているものを用いることもできる。
【００３７】
さらに、分割パネル部４３は、上記した構造を備える分割パネル部４３以外にも、例えば図７および図８に示すように、対面する位置関係にある一側面１４側の空白区画面１４ａと他側面１５側の空白区画面１５ａとの間に介在配置される単層ガラスパネル部４７として形成したり、図９に示されているように、対面する位置関係にある一側面１４側の空白区画面１４ａと他側面１５側の空白区画面１５ａとを各別に覆う複層ガラスパネル部４８として形成したり、同じく図９に示されているように一側面１４側の空白区画面１４ａと他側面１５側の空白区画面１５ａとの少なくともいずれか一方の側を覆うと小窓部５０ａ付きのメンテナンス用パネル部５０として形成したものを所望に応じて適宜使い分けるこもできる。
【００３８】
これらのうち、単層ガラスパネル部４７は、図７および図８に示されているように、空白区画面１４ａおよび１５ａよりも面サイズが小さい方形を呈する１枚のガラス板４７ａと、該ガラス板４７ａの周縁部を保持するガスケットなどからなる保持枠４７ｂと、該保持枠４７ｂを支持する囲枠部４７ｃとで形成されており、該囲枠部４７ｃを対応する位置関係にある縦枠１７，１８側に着脱自在に固定することで配置される。
【００３９】
また、複層ガラスパネル部４８は、図９に前後で対となって示されているように、２枚のガラス板４８ａを保持枠（図示省略）を介して囲枠材４８ｂに取り付けることで形成されている。
【００４０】
さらに、小窓部５０ａ付きのメンテナンス用パネル部５０は、同じく図９に示されているように、中央部に小窓部５０ａ備えるパネル面５０ｂをその周縁部を介して囲枠部５０ｃに取り付けることで形成されている。
【００４１】
また、所望する任意位置にある分割パネル部４３は、パーテーション本体部１３がその内部に備える空間部１３ａを介してユーティリティー設備５２を構成する配管系および／または配線系、例えば図１０に示すようにして引き回されたガス管５３ａの管端側に接続される同じくユーティリティー設備５２を構成するガス栓５３を分割パネル部４３のパネル面４４に設けた通孔４４ａを介して事前または事後に取り付けることができるようになっている。
【００４２】
一方、  図１１および図１２は、本発明においてユーティリティー設備５２の配設位置との関係で特定されるパーテーションパネル１２の空白区画面１４ａ，１５ａを塞ぐ分割パネル部４３に対し着脱自在に取着される実験用什器６２の配置例を示すものである。
【００４３】
すなわち、図１１に示す実験用什器６２は、比較的軽量な実験台６３であり、該実験台６３は、分割パネル部４３における上側枠部４６に対し奥側枠部６４ａを介して着脱自在に取り付けられる囲枠部６４と、該囲枠部６４を介して支持される載置台６５とで構成されている。なお、図中の参照符号６６は、囲枠部６４を下支えする補強板部を示す。
【００４４】
そして、パーテーション本体部１３に対しては、分割パネル部４３が左側と右側とに備えるそれぞれ計２カ所の掛合溝４５ａに連結金具３５を介して掛止させることで着脱自在に取り付けることができるようになっている。
【００４５】
また、図１２に示す実験用什器６２は、比較的重量のある簡易ドラフトチャンバー６７であり、該簡易ドラフトチャンバー６７は、面上下に位置する２面分の空白区画面１４ａを塞ぐ面サイズを備える分割パネル部４３を利用して着脱自在に取り付けられる。
【００４６】
これを図示例に基づいて説明すれば、簡易ドラフトチャンバー６７は、左側板部６８と右側板部６９と天板部７０と底板部７１とを備え、その手前側に開閉扉７２を配置し、上記した２面分の空白区画面１４ａの面サイズを備える分割パネル部４３を背板部７３とすることで形成されている。
【００４７】
そして、パーテーション本体部１３に対しては、分割パネル部４３（背板部７３）が左側と右側とに備えるそれぞれ計５カ所の掛合溝４５ａに連結金具３５を介して各別に掛止させることで着脱自在に取り付けることができるようになっている。
【００４８】
次に、上記構成に係る本発明の作用・効果について説明すれば、パーテーションパネル１２は、パーテーション本体部１３の一側面１４側の各空白区画面１４ａと他側面１５側の空白区画面１５ａとのそれぞれに所望する構造や機能を備えた分割パネル部４３を取り付けることで形成することができ、その全体で給電、給ガス、給排気、給排水のいずれかに対応させたユーティリティー設備５２の事前または事後の設置と実験室Ｌ内の間仕切りとを可能に配置することができる。
【００４９】
すなわち、パーテーションパネル１２は、パーテーション本体部１３の一側面１４側に位置する縦枠１７と横桟部材２５との間に確保される複数の空白区画面１３ａと、他側面１５側に位置する縦枠１８と横桟部材２５との間に確保される複数の空白区画面１４ａとのそれぞれに、連結金具３５を介して必要な分割パネル部４３を掛止することで形成することができるので、研究分野や研究テーマの変更に伴って実験室の広さを広げたり狭くしたりする間仕切り変更を簡単・容易に行うことができる。
【００５０】
しかも、各種の実験室用什器６２は、ユーティリティー設備５２の設置位置との関係で特定される分割パネル部４３に対し着脱自在に取着したり、分割パネル部４３自体を交換したりすることができるので、分割パネル部４３の取り付け位置を変えることにより、ユーティリティー設備５２や実験室用什器６２の設置位置の高さ調整・変更・追加設置も容易に行うことができるフレキシブルな拡充・変更性を発揮させることができる。
【００５１】
これを図１３（ａ），（ｂ）に示すユーティリティー設備５２を例に詳しく説明すれば、（ａ）として示す配置換え前のパーテーションパネル１２の一側面１４側には、縦方向４枚、横方向３枚の計１２枚の分割パネル部４３が取り付けられており、これらのうち、縦方向中央列の最下段に位置する分割パネル部４３には、空間部１３ａ内を引き回されている排水管５４ａ側と接続されている流し台５４が取り付けられている。
【００５２】
また、縦方向中央列の下から二段目に位置する分割パネル部４３には、空間部１３ａ内を引き回されている給水管５５ａ側と接続された給水栓５５と、同じく空間部１３ａ内を引き回されているガス管５３ａ側と接続されたガス栓５３とが取り付けられている。
【００５３】
さらに、縦方向中央列の下から三段目に位置する分割パネル部４３には、空間部１３ａ内を引き回されている電線５６ａ側と接続された２個のコンセント５６が取り付けられている。
【００５４】
これに対し、配置換え後のユーティリティー設備５２の配置状態を示す図１３（ｂ）によれば、空間部１３ａ内の排水管５４ａを引き回しながら流し台５４を備える分割パネル部４３を縦方向右列の最下段に移し替え、空間部１３ａ内の給水管５５ａとガス管５３ａとを引き回しながら給水栓５５とガス栓５３とを備える分割パネル部４３を縦方向右列の下から二段目に移し替え、空間部１３ａ内の電線５６ａを引き回しながら２個のコンセント５６を備える分割パネル部４３を縦方向中央列の最上段に移し替えるとともに、縦方向右列の下から三段目の分割パネル部４３を換気口５７を備える分割パネル部４３に交換した上で、空間部１３ａ内に配置された排気ダクト５７ａ側と接続させることで、全てのユーティリティー設備５２の配置換えを完了することができることになる。
【００５５】
また、各種の実験室用什器６２は、床面ＦＬに設置されるべき脚部を不要にしてパーテーション本体部１３側に支持させることができるので、それだけ床面ＦＬ側に広い自由空間域を確保して、研究者等が円滑に動き回ることができる。
【００５６】
さらに、パーテーション本体部１３がその内部に空間部１３ａを備えている場合には、ユーティリティー設備５２を構成する配管系および／または配線系を外部から目隠しをした見苦しくない状態のもとで図１０および図１３に示すように任意位置へと引き回すことができる。
【００５７】
また、分割パネル部４３として耐薬品性および／または耐熱性が付与されているものを用いる場合には、実験内容に応じて用いられるユーティリティー設備５２や実験室用什器６２を介して発生する薬品成分や発生熱に対しても安心して即応させることできる。
【００５８】
また、パーテーション本体部１３の一側面１４と他側面１５との両面に空白区画面１４ａ，１５ａを各別に設けてある場合には、研究分野や研究テーマの変更があっても、ユーティリティー設備５２や実験室用什器６２の設置位置の変更や追加設置をより広範で柔軟に、かつ、容易に行うことができるほか、
【００５９】
また、パーテーション本体部１３の対面する位置関係にある一側面１４側と他側面１５側との空白区画面１４ａ，１５ａの間を塞ぐ単層ガラスパネル部４７を分割パネル部４３として配置する場合には、一方の側から他方の側を容易に見通せる結果、パーテーションパネル１２で仕切られている実験室Ｌ内の閉塞感を緩和させたり内部確認を容易に行うことができる。また、実験内容により間仕切りされた実験室内Ｌ部を暗くする必要が生じたとしても、単に分割パネル部４３を交換することにより対処することができる。
【００６０】
さらに、パーテーション本体部１３の対面する位置関係にある一側面１４側の空白区画面１４ａと他側面１５側の空白区画面１ａ５とを各別に塞ぐ複層ガラスパネル部４８を図９に示すようにそれぞれの分割パネル部４３として配置する場合には、一方の側から他方の側を容易に見通せる結果、パーテーションパネル１２で仕切られている実験室Ｌ内の閉塞感を緩和させたり内部確認を容易に行うことができるだけでなく、仮に実験室Ｌ内で不測の事故が発生しても実験室Ｌ外にその影響が及ぶのを比較的強靱な複層ガラスパネル部４８を介することで防ぐことができ、それだけ安全性を高めることができる。
【００６１】
また、パーテーション本体部１３の一側面１４側の空白区画面１４と他側面１５側の空白区画面１５との少なくともいずれか一方の側を塞ぐ小窓部５０ａ付きのメンテナンス用パネル部５０を図９に示すように分割パネル部４３として配置する場合には、パーテーションパネル１２内の空間部１３ａを介して引き回されている配管系および／または配線系を小窓部１３ａを介して直接に目視確認することで、外部からメンテナンスの要否を簡単に把握することができる。
【００６２】
さらに、図１に示すように実験室Ｌの床面ＦＬと天井面ＣＬとの間の上下二カ所にて建造物の躯体側に支持させた状態のもとでパーテーション本体部１３を立設配置した場合には、仮に分割パネル部４３側に簡易ドラフトチャンバー６７などのような重量のある実験用什器６２を取り付けても躯体側に支持させたパーテーション本体部１３を介して安定的に設置しておくことができる。
【００６３】
以上は、本発明を図示例に基づき説明したものであり、その具体的な構造は、これらに限定されるものではない。例えば、パーテーション本体部１３は、図示例では実験室Ｌの床面ＦＬと天井面ＣＬとの間に上下二カ所で支持された状態で立設配置された例が示されているが、重量のある実験用什器６２をパーテーションパネル１２側に取り付ける必要がない場合などにあっては、所望により天井面ＣＬに至らぬ適宜高さで単に床面ＦＬに立設配置されるものであってもよい。
【００６４】
また、分割パネル部４３自体の面サイズについては、パーテーション本体部１３側に確保される空白区画面１４ａ，１５ａの面サイズとの関係で定めることができ、例えば図１３に示されているように、同一の統一規格サイズのものと、該規格サイズを外れる調整用の小さな方形サイズのものとの二種類を用意しておき、必要に応じて適宜使い分けるようにすることもできる。
【００６５】
また、ユーティリティー設備５２については、図１０および図１３に示す例に限るものではなく、実験室に必要とされる適宜の配管系および／または配線系と、これらに接続される各種の対応器具も含まれる。
【００６６】
さらに、パーテーション本体部１３は、所望に応じてユーティリティー設備５２を構成する配管系および／または配線系を引き回すための空間部１３ａを設けないで形成することもできる。
【００６７】
また、各種の実験用什器６２については、図１１ないし図１３に示した例に限らず、収納棚、局所排気設備、収納棚、作業台など、実験室に必要とされる適宜の什器類が含まれる。  
【符号の説明】
【００６８】
１１  実験室用フレキシブルパーテーションユニット
１２  パーテーションパネル
１３  パーテーション本体部
１３ａ  空間部
１４  一側面
１４ａ  空白区画面
１５  他側面
１５ａ  区画空白面
１６  支柱部材
１７，１８  縦柱
１９  床レール
２０  アジャスター
２１  ネジ
２２  天井レール
２３  ネジ
２４  幅木
２５  横桟部材
２６  受け金具
２７  ネジ
２８  横桟
２９  ネジ
３０  補強材
３１  ネジ
３２  目隠し材
３５  連結金具
３５ａ  通孔
３６  基部
３７  フック部
３７ａ  突曲部
３８  ネジ
４３  分割パネル部
４４  パネル面
４４ａ  通孔
４５  囲枠材
４５ａ  掛合溝
４６  上側枠部
４７  単層ガラスパネル部
４７ａ  ガラス板
４７ｂ  保持枠
４７ｃ  囲枠部
４８  複層ガラスパネル部
４８ａ  ガラス板
４８ｂ  囲枠材
５０  メンテナンス用パネル部
５０ａ  小窓部
５０ｂ  パネル面
５０ｃ  囲枠部
５２  ユーティリティー設備
５３  ガス栓
５３ａ  ガス管
５４  流し台
５４ａ  排水管
５５  給水栓
５５ａ  給水管
５６  コンセント
５６ａ  電線
５７  換気口
５７ａ  排気ダクト
６２  実験用什器
６３  実験台
６４  囲枠部
６４ａ  奥枠部
６５  載置台
６６  補強板部
６７  簡易ドラフトチャンバー
６８  左側板部
６９  右側板部
７０  天板部
７１  底板部
７２  開閉扉
７３  背板部
Ｌ  実験室
ＣＬ  天井面
ＦＬ  床面
【図１】
2017128932.tif 000003
【図２】
2017128932.tif 000004
【図３】
2017128932.tif 000005
【図４】
2017128932.tif 000006
【図５】
2017128932.tif 000007
【図６】
2017128932.tif 000008
【図７】
2017128932.tif 000009
【図８】
2017128932.tif 000010
【図９】
2017128932.tif 000011
【図１０】
2017128932.tif 000012
【図１１】
2017128932.tif 000013
【図１２】
2017128932.tif 000014
【図１３】
2017128932.tif 000015